(57)【要約】【課題】温水洗濯コースで高温になった窓部の温度低減を行ない、フタを安全に開放する事が可能となるまでの時間を短くし、使用操作性を向上させたドラム式洗濯機を提供すること。【解決手段】衣類を収容するドラム４を回転自在に内設した水槽３と、前記水槽３の前面を覆うと共に前記衣類の出し入れ用の開口部５を有する水槽カバー６と、前記水槽３内に給水する給水弁１１と、前記開口部を覆う窓部７と、前記水槽カバー６の外面に設けられ前記給水弁１１と連通すると共に前記窓部７の内面側に略扇状に水を吐出する開口１６を備え、給水弁１１の動作時、水を開口１６より扇状に吐出せしめて、窓部７の内面側全体に満遍なく注水して窓部の温度を速やかに低減し、窓部開操作時の使用操作性と安全性を向上させた。【選択図】図１
2007167279.tif 000002
【特許請求の範囲】
【請求項１】
衣類を収容し水平又は傾斜した回転中心軸を有するドラムと、前記ドラムを回転自在に収容する水槽と、前記水槽の前面を覆うと共に前記衣類の出し入れ用の開口部を有する水槽カバーと、前記水槽内底部に洗濯水を温水に加熱する加熱装置と、前記水槽内に給水する給水弁と、前記開口部を覆う窓部とを備え、前記水槽カバーの内面に設けられ、前記給水弁と連通すると共に前記開口部を覆う窓部に水を吐出する開口を前記水槽カバーの外面に設けたドラム式洗濯機。
【請求項２】
水槽カバーの外面に略球面状部を有する袋状部材を配し、前記水槽カバーの外周に、ホース部材を介して給水弁と連通する略円筒状の突出部を設け、前記略球面状部に開口を配すると共に前記突出部の内側に位置する内部開口部と前記袋状部材とを可撓性材質にてなるパイプ部材で連通した請求項１に記載のドラム式洗濯機。
【発明の詳細な説明】
【技術分野】
【０００１】
本発明は、回転軸方向が略水平又は傾斜方向になるようにして水槽内に回転自在に配置されたドラムを備えたドラム式洗濯機に関するものである。
【背景技術】
【０００２】
従来の、この種のドラム式洗濯機は、円筒形に形成され内周壁の複数箇所に突出して設けた撹拌突起を有するドラムと、そのドラムを、その回転軸方向が略水平又は傾斜方向になるようにして回転自在に収納する水槽を備え、そのドラムを回転させることにより、ドラム内に収容された洗濯物を撹拌突起に引っ掛けて持ち上げ、持ち上げられた洗濯物が適当な高さから落下することによって洗濯物が叩き洗いされるようになっている（例えば、特許文献１参照）。
【０００３】
このような従来のドラム式洗濯機は、洗濯物を主に叩き洗いによって洗濯するので、従来からの主流であるドラムを縦方向に配した洗濯機に比して洗濯物を傷め難い構造ではあるが、洗浄力は必ずしも高くない。その対応策として洗濯水を高温にして洗剤液の活性化をすることにより洗浄力を高めることが一般的である。
【特許文献１】特開平０９−２１５８９４号公報
【発明の開示】
【発明が解決しようとする課題】
【０００４】
しかしながら、高温温水コースでの洗濯をした場合、フタの窓部をドラムの前面に配しているため、高温の温水によって窓部が高温になり、排水後フタを開けて衣類を取り出す際に、稀に高温の窓部に手首や腕が触れて火傷をするという問題があった。この問題を解決すべく、衣類を収容するドラムへの注水によりドラム内の温度を下げ、間接的に窓部の温度下げるドラム式洗濯機もある。
【０００５】
しかし、ドラム内に注水しても、前記注水が直接窓部に接触しない為、窓部の温度が安全な温度に下がるまでに時間がかかり、フタを開く事が可能になるまでかなりの時間待たなければならず、使用操作性が十分満足できない課題があった。
【０００６】
本発明は、前記従来の課題を解決するもので、フタの窓部の温度を短時間で下げ、フタの開放までの時間を短くし使用操作性を十分満足させることができるドラム式洗濯機を提供することを目的とする。
【課題を解決するための手段】
【０００７】
前記従来の課題を解決するために、本発明のドラム式洗濯機は、衣類を収容するドラムを回転自在に内設した水槽と、前記水槽の前面を覆うと共に衣類の出し入れ用の開口部を有する水槽カバーと、前記開口部を覆う窓部と、前記水槽内に給水する給水弁とを備え、前記給水弁と連通すると共に前記窓部に水を吐出する開口を、前記水槽カバーの外面に設けたものである。
【０００８】
これによって、給水弁に通電し動作させると、水が開口に送られて吐出し、ドラム内の窓部を満遍なく濡らし冷却するので窓部全体の温度を短時間で下げることができ、温水洗濯コースを洗濯した際に高温化したフタを、安全に開放する事が可能となるまでの時間を短くし使用操作性を向上させることができる。
【発明の効果】
【０００９】
本発明のドラム式洗濯機は、温水洗濯コースを選択した場合、フタを安全に開放する事が可能となる時間を短く出来るので、安全性を確保しつつ使用操作性を向上させることができる。
【発明を実施するための最良の形態】
【００１０】
第１の発明は、衣類を収容し水平又は傾斜した回転中心軸を有するドラムと、前記ドラムを回転自在に収容する水槽と、前記水槽の前面を覆うと共に前記衣類の出し入れ用の開口部を有する水槽カバーと、前記水槽内底部に洗濯水を温水に加熱する加熱装置と、前記水槽内に給水する給水弁と、前記開口部を覆う窓部とを備え、前記水槽カバーの内面に設けられ、前記給水弁と連通すると共に前記開口部を覆う窓部に水を吐出する開口を前記水槽カバーの外面に設けた事により、給水弁に通電し動作させると、水が開口に送られて吐出することにより、ドラム内の窓部を満遍なく濡らし冷却するので窓部全体の温度を短時間で下げることができ、フタを安全に開放する事が可能となるまでの時間を短くし、使用操作性を向上させることができる。
【００１１】
第２の発明は、特に、第１の発明の水槽カバーの外面に略球面状部を有する袋状部材を配し、前記水槽カバーの外周に、ホース部材を介して給水弁と連通する略円筒状の突出部を設け、前記略球面状部に開口を配すると共に前記突出部の内側に位置する内部開口部と前記袋状部材とを可撓性材質にてなるパイプ部材で連通したもので、給水弁から開口を有する袋状部材までの注水経路のシール構造が簡素化され途中での水漏れを極力少なくすることができるとともに、同注水経路の組み立て性や、サービス作業が容易である。
【００１２】
以下、本発明の実施の形態について、図面を参照しながら説明する。なお、この実施の形態によって本発明が限定されるものではない。
【００１３】
（実施の形態１）
図１は、本発明の実施の形態におけるドラム式洗濯機の概略断面図、図２は、同ドラム式洗濯機の要部断面図である。
【００１４】
図１、２において、ドラム式洗濯機１の筐体２内に、図示しないサスペンション構造によって水槽３が防振支持されつつ配設され、前記水槽３内には、有底円筒形に形成されたドラム４が、その軸心方向を正面側から背面側に向けて下向きに傾斜させて回転自在に収容されている。前記水槽３の前面側には、開口部５を形成する水槽カバー６が配置され、前記開口部５に通じる衣類出入口が形成されると共に、窓部７で前記開口部５を閉塞している。前記の窓部７は、内側のドラム４側に断面略凸状の球面形状に形成したガラス材質等にてなる内窓部７ａと、外方に略凸状に形成すると共に開閉用取っ手７ｃを有するプラスチック成形材等にてなる外窓部７ｂとで構成されている。
【００１５】
前記ドラム４には、その周壁に水槽３内に通じる多数の透孔８が形成され、内周面の複数位置に衣類の撹拌突起９が設けられている。このドラム４は水槽３の背面側に取り付けられたモータ１０によって正転及び逆転方向に回転駆動される。また、前記筐体２内には、水槽３内に給水する給水弁１１が設けられ、注水管路１２を介して前記水槽３内に洗濯水を給水すると共に、排水時には水槽３に配管接続した排水管路１３を介して、図示しない排水弁の制御によって排水がなされる。水槽３の底面側にはシーズヒータ等にてなる加熱装置１４を設け、温水洗浄のコースを選択した場合に水槽３内の洗濯水を温水化する。
【００１６】
前記水槽カバー６の外面の前記窓部７側には、略球面状部１５に開口１６を設けた袋状部材１７が配置され、前記給水弁１１と、前記水槽カバー６の外周部に設けられた略円筒状の突出部１８と連通するゴム材質等にてなるホース部材１９とが水密的に接合される。
【００１７】
更に、前記袋状部材１７と、前記水槽カバー６の突出部１８の内側に位置する内部開口部２０とが、可撓性材質にてなるパイプ部材２１で水密的に連通され、注水経路２２が形成されている。
【００１８】
図３は、本発明の実施の形態におけるドラム式洗濯機の注水経路の正面図であり水槽カバー６の外面の略球面状部１５に設けられた開口１６の正面を示す。この開口１６の形状は正面から見て略一文字形状をなし、その両側部１６ａの上下幅は、中央部１６ｂの上下幅より広く形成されている。
【００１９】
上記構成によるドラム式洗濯機の動作を説明する。
【００２０】
窓部７を開いてドラム４内に洗濯物及び洗剤を投入してドラム式洗濯機１の運転を開始すると、給水弁１１に通電され動作し、水槽３内には注水管路１２と注水経路２２から所定時間に所定量の注水がなされ、モータ１０によりドラム４が回転駆動されて洗濯行程が行われる。この時、ドラム４の回転により、ドラム４内に収容された洗濯物はドラム４の内周壁に設けられた撹拌突起９によって回転方向に持ち上げられ、持ち上げられた適当な高さ位置から落下する撹拌動作が繰り返されると同時に、温水洗濯コースを選択した場合は、加熱装置１４により所定の温度になるまで水槽３内の水は加熱され、この加熱された高温の温水により窓部７の内面側の内窓部７ａも加熱される。
【００２１】
所定の洗濯時間の後、汚れた洗濯液は排水管路１３から排出されるが、その際窓部７を操作した場合に人体が触れても安全な温度以下になるように給水弁１１を動作させ、水を注水経路２２から水槽カバー６の略球面状部１５の開口１６に導き、その開口１６で略扇状に広がらせ窓部７の内面側全体を濡らす作用が行われ、窓部７の内窓部７ａを冷却する構成である。この時、一時停止操作を行って、すぐに窓部７を開けることができるのみならず、窓部７の内窓部７ａ温度は安全な温度以下に下がっているため、腕等が接触しても火傷等の危険性は無くなる。
【００２２】
次に、ドラム４を高速回転させる脱水動作により洗濯物に含まれた洗濯液を遠心脱水し、その後、水槽３内に再び注水管路１２と注水経路２２から注水してすすぎ行程が実施され、最後に、脱水行程が実施される。
【００２３】
また、前記の開口１６の両側部１６ａの上下幅は、中央部１６ｂの上下幅より広く形成されているので、水は両側部１６ａ部に多く流れ、その結果、扇状の吐出形状が形成でき、窓部７の内窓部７ａ全体を満遍なく濡らすことができる。
【００２４】
図４は、本発明の実施の形態におけるドラム式洗濯機の注水経路の要部断面図であり、開口１６の形成される略球面状部１５は、略半球状とすることにより、開口１６の開口角度αを最も大きくすることができるので、その結果、更に広い範囲に広がる扇状の吐出形状が形成でき、窓部７の内窓部７ａ全体を満遍なく濡らすことができる。
【００２５】
また、窓部７の内窓部７ａにかかる水は、扇状ではなくても、内窓部７ａにかかる位置で内窓部７ａ全体を濡らすことができれば、同様の効果が得られる。
【００２６】
また、注水経路２２の途中が、ホース部材１９と、パイプ部材２１で形成されているのでシール構成が簡素化され、しかもその組み立て作業性や補修時のサービス作業が容易になる。即ち、袋状部材１７と水槽カバー６の略円筒状の突出部１８の内側の内部開口部２０と連通するパイプ部材２１を、可撓性と柔軟性を有する例えばエラストマー等の材料で形成することにより、両端嵌合部のシール性を十分確保することができ、内窓部７ａに吐出する開口１６に至るまでの経路途中での水漏れ防止ができるので衣類の濡れ性を十分に確保できる。また、上記パイプ部材２１は、嵌合部に可撓性と柔軟性があるため、水槽カバー６の内方より袋状部材１７と突出部１８の内部開口部２０に容易に装着が可能であり、組立作業性も優れている。
【産業上の利用可能性】
【００２７】
以上のように、本発明にかかるドラム式洗濯機は、温水洗濯コースでの洗濯時に、洗濯途中や終了時に窓部を開ける行為をする際に、窓部を開ける前に窓部の内面側全体に水が扇状に広がってかかるので、窓部全体の温度を低減することができるので、温水洗濯コースを有する家庭用、業務用洗濯機、洗浄装置等に有用である。
【図面の簡単な説明】
【００２８】
【図１】本発明の実施の形態におけるドラム式洗濯機の概略断面図
【図２】同ドラム式洗濯機の要部断面図
【図３】同ドラム式洗濯機の注水経路の正面図
【図４】同ドラム式洗濯機の注水経路の要部断面図
【符号の説明】
【００２９】
３    水槽
４    ドラム
５    開口部
６    水槽カバー
７    窓部
１１  給水弁
１４  加熱装置
１５  略球面状部
１６  開口
１７  袋状部材
１８  突出部
１９  ホース部材
２０  内部開口部
２１  パイプ部材
【図１】
2007167279.tif 000003
【図２】
2007167279.tif 000004
【図３】
2007167279.tif 000005
【図４】
2007167279.tif 000006